(57)【要約】【課題】  施工が容易で且つ強度や水漏れ等に対する信頼性が高いと共に、採光性に優れた窓を提供する。【解決手段】  本発明の窓１において、筒枠３は、屋内側及び屋外側が開口した筒状部７と、筒状部７の屋外側開口端部１９の下部に設けてあり外壁よりも屋外側に位置する屋外側水切り部９と、筒状部７の内周面における屋内側開口端部２１の周方向に沿って突設した堰部１１と、筒状部７の内周面上部で堰部１１よりも屋外側の位置に垂下した内部水切り部１５と、筒状部７の屋内側開口端部２１の外周面に設けた内壁見切り部１３と、筒状部７の外周面に設けた躯体取付部１７ａ、１７ｂとを有する鋳物製であり、筒状部７は内部空間２３の断面積が屋内側から屋外側に向けて徐々に広くなっており、突き出し障子５は内部水切り部１５と堰部１１との間に配置して筒枠３内に開閉自在に取付けてあり、閉じたときに屋内側面が堰部１１の屋外側面に当接する。【選択図】      図１
2006037623.tif 000002
【特許請求の範囲】
【請求項１】
筒枠と、突き出し障子とを備え、筒枠は、屋内側及び屋外側が開口した筒状部と、筒状部の屋外側開口端部の下部に設けてあり外壁よりも屋外側に位置する屋外側水切り部と、筒状部の内周面における屋内側開口端部に周方向に連続して設けた堰部と、筒状部の内周面上部で堰部よりも屋外側の位置に垂下した内部水切り部と、筒状部の屋内側開口端部の外周面に周方向に連続して設けた内壁見切り部と、筒状部の外周面に設けた躯体取付部とを有する鋳物製であり、筒状部は内部空間の断面積が屋内側から屋外側に向けて徐々に広くなっており、突き出し障子は内部水切り部と堰部との間に配置して筒枠内に開閉自在に取付けてあり、閉じたときに屋内側面が堰部の屋外側面に当接することを特徴とする窓。
【発明の詳細な説明】
【技術分野】
【０００１】
本発明は、窓に関する。
【背景技術】
【０００２】
特許文献１には、筒状部を屋内側枠材と屋外側枠材とを接合した筒枠が開示されている。また、この特許文献１の筒枠は内部空間の断面積が屋内側開口端部と屋外側開口端部とで略同じ面積になっている
【０００３】
【特許文献１】特開２００３−１８４４３４号公報
【発明の開示】
【発明が解決しようとする課題】
【０００４】
しかし、筒枠は複数の枠材を接合して構成しているので、部品点数が多く施工に手間がかかると共に接合部がある為に強度や水漏れ等の信頼性に劣るという問題がある。
筒枠は内部空間の断面積が屋内側開口端部と屋外側開口端部とで略同じ面積になっているので、屋外側開口端部に斜めに射し込む光を屋内に導き難く、採光性に劣るという問題がある。
【０００５】
そこで、本発明は、施工が容易で且つ強度や水漏れ等に対する信頼性が高いと共に、採光性に優れた窓の提供を目的とする。
【課題を解決するための手段】
【０００６】
請求項１に記載の発明は、筒枠と、突き出し障子とを備え、筒枠は、屋内側及び屋外側が開口した筒状部と、筒状部の屋外側開口端部の下部に設けてあり外壁よりも屋外側に位置する屋外側水切り部と、筒状部の内周面における屋内側開口端部に周方向に連続して設けた堰部と、筒状部の内周面上部で堰部よりも屋外側の位置に垂下した内部水切り部と、筒状部の屋内側開口端部の外周面に周方向に連続して設けた内壁見切り部と、筒状部の外周面に設けた躯体取付部とを有する鋳物製であり、筒状部は内部空間の断面積が屋内側から屋外側に向けて徐々に広くなっており、突き出し障子は内部水切り部と堰部との間に配置して筒枠内に開閉自在に取付けてあり、閉じたときに屋内側面が堰部の屋外側面に当接することを特徴とする。
【発明の効果】
【０００７】
請求項１に記載の発明によれば、筒枠は鋳物製であるから、筒状部に接合部がなく、強度や水漏れ等における信頼性が高い。また、筒枠を鋳物製としたことから、部品点数が少なくできる。
筒枠の筒状部は内部空間の断面積が屋内側から屋外側に向けて徐々に広くなっており、屋外側開口端部に斜めに差し込む光を屋内に導き易いので、採光性が高い。
筒状部の内部空間に吹き込んだ雨水等は、屋外側水切り部により外壁に伝って流れるのを防止しているので、外壁面に雨筋汚れを生じ難い。
筒状部の内周面上部には内部水切りが設けてあるので、雨水等が筒状部の内周面上部を伝わって屋内に入るのを防止できる。
筒状部の屋内側開口端部には内周面の周方向に突設した堰部が設けてあるので、雨の吹き込み等による屋内への雨水の侵入を防止できる。
堰部は障子の戸当りを兼ねているので、別に戸当りを設ける必要がない。
筒状部の外周面に内壁見切り部を設けてあり、屋内側には内壁見切り部の厚み分のみが見付け面になって現れるので室内側見付け面を小さくでき、筒枠が目立ち難くいので意匠性に優れる。
【発明を実施するための最良の形態】
【０００８】
以下に、添付図面を参照して本発明の第１実施の形態を説明するが、まず、図１及び図２を参照して本発明の第１実施の形態を説明する。図１（ａ）は第１実施の形態にかかる窓の縦断面図であり、（ｂ）は屋内側から見た正面図であり、図２は第１実施の形態にかかる窓の横断面図である。
第１実施の形態にかかる窓１は、縦断面が矩形の筒枠３と、筒枠３内に設けてあり正面視矩形の突き出し障子５とを備えている。
筒枠３は、屋内側と屋外側とに開口した筒状部７と、筒状部７の屋外側開口端部１９の下部に設けた屋外側水切り部９と、筒状部７の屋内側開口端部２１の内周面に設けた堰部１１及び外周面に設けた内壁見切り部１３と、筒状部７の内周面に設けた内部水切り部１５と、筒状部７の外周面に設けた躯体取付部１７ａ、１７ｂとを備えている。筒枠３は鋳物製であり、筒状部７と、屋外側水切り部９と、堰部１１と、内壁見切り部１３と、内部水切り部１５及び躯体取付部１７ａ、１７ｂは鋳造により一体に成形してある。
筒状部７は、内部空間２３の断面積が屋内側から屋外側に向けて徐々に広くなっている。内部空間２３は室内側開口端部の面積Ｓ２よりも室外側開口端部の面積Ｓ１のほうが大きく且つ内部空間内２３で徐々に面積を変えている。また、筒状部７の内周面の上部２５ａは屋外側が高くなるように傾斜しており、内周面下部２５ｂは屋外側が低くなるように傾斜している。
屋外側水切り部９は筒状部７の屋外側開口端部１９の下部において、下面を屋外側が低くなるようにして外壁２７よりも屋外側に突設しており、屋外側水切り部９には外壁２７から離れた位置に垂下部９ａが設けてある。
堰部１１は、筒状部７の内周面２５における屋内側開口端部２１において、内周に沿って設けてあり、筒状部７の内周面に段部を形成している。この堰部１１の屋外側面は突き出し障子５が閉じたときに当接する当接面２９になっている。
内壁見切り部１３は筒状部７の外周面で且つ屋内側開口端部２１に設けてあり、内壁３１の開口端が当接している。内壁見切り部１３の室内側端面が室内側見付け面４０となっている。
躯体取付部１７ａ、１７ｂは筒状部７において、内壁見切り部１３よりも屋外側の位置で外周面から突設しており、本実施の形態では屋外側と屋内側とに２つの躯体取付部１７ａ、１７ｂが間隔を開けて設けてあると共に、屋外側躯体取付部１７ａと屋内側駆体取付部１７ｂとは筒状部７の外周囲に設けてある。屋外側躯体取付部１７ａの屋内側面に躯体３３の屋外側係合部３３ａが当接しており、屋内側躯体取付部１７ｂの屋外側面には躯体３３の屋内側係合部３３ｂが当接している。即ち、筒状部７の上下左右において、躯体の屋外側係合部３３ａと屋内側係合部３３ｂとを屋外側躯体取付部１７ａと屋内側駆体取付部１７ｂとで挟持している。
突き出し障子５は、筒状部７の内部空間２３において、内部水切り部１５と堰部１１との間に配置して筒枠３内に開閉自在に取付けてある。筒枠の上部にはヒンジ３７が固定されており、水平軸回りに回動自在な回動端部３９に障子本体５ａの上端が固定されている。
突き出し障子５は、閉じたときに、障子本体５ａの四周端部の屋内側面が堰部１１の屋外側面に当接するようになっている。
【０００９】
次に、本実施の形態にかかる窓１の施工、作用及び効果について説明する。
窓１の施工は、躯体開口に筒枠３を配置して屋外側躯体取付部１７ａを躯体３３の屋外側係合部材３３ａの屋外側面に当接し、屋内側駆体取付け部１７ｂを躯体３３の屋内側係合部材３３ｂの屋内側面に当接させて屋外側躯体取付部１７ａと屋内側駆体取付部１７ｂとで躯体係合部３３ａ、３３ｂを挟持するように取付ける。そして、筒枠３の内周面において、屋内側上部にヒンジ３７を固定し、ヒンジの回動端部３９に障子本体５ａを固定する。
筒枠３は鋳造により製造しているので、筒状部７に接合部がなく、強度や水漏れ等における信頼性が高い。また、筒枠３を鋳物製としたことから部品点数が少なくできる。
筒枠３の筒状部７は内部空間２３の断面積が、屋外側開口端部１９の屋内側から屋外側に向けて徐々に広くなっており、屋外側開口端部１９に斜め方向から入る光を屋内側開口端部に導き易いので、採光性が高い。
雨等が筒枠３内に吹き込んだときには、筒枠３内に吹き込んだ水は、筒状部７の内周面を伝わって屋外側に流れるが、屋外側水切り部９は外壁２７よりも屋外側に突設して、雨水が外壁２７に伝って流れるのを防止しているので、外壁２７に雨筋汚れを生じ難い。
筒状部７の内周面上部２５ａには内部水切り部１５が設けてあるので、屋外側開口端部１９の内周面上部２５ａを伝わって屋内に入った水は内部水切り部１５により筒状部７の内周面下部２５ｂに落下し、屋内側開口端部２１側に伝わらないようにしているので、雨水等が屋内に入るのを防止する。
筒状部７の内周面２５における屋内側開口端部１９には内部空間２３に突設した堰部１１が設けてあるので、雨の吹き込み等による屋内への雨水の侵入を防止できる。
堰部１１は突き出し障子５の戸当りを兼ねているので、別に戸当りを設ける必要がない。
筒枠３には筒状部７の外周面の屋内側に内壁見切り部１３を設けてあるので、内壁見切り部１３の厚み分Ｅのみが見付け面４０になり、見付け面４０を小さくできるので、屋内側から見た筒枠３が目立ち難く、意匠性に優れる。
本実施の形態では、建物の壁に複数の窓１を配置した場合にも、突き出し障子５が内部水切り部１５と堰部１１との間に配置してあり、筒状部７の屋内側に位置しているので、外から窓１見た場合に、突き出し障子５の開閉状態が見え難く、各窓の開閉状態がまちまちでも外観が良い。
【００１０】
次に、図３及び図４を参照して本発明の第２実施の形態について説明するが、以下に説明する実施の形態において、上述した実施の形態と同一の作用効果を奏する部分には同一の符号を付することによってその部分の詳細な説明を省略し、以下の説明では第１実施の形態と異なる点を主に説明する。
図３（ａ）は第２実施の形態にかかる窓の縦断面図であり、（ｂ）は屋内側から見た正面図であり、図２は第２実施の形態にかかる窓の横断面図である。
第２実施の形態にかかる窓１は、筒枠３は縦断面が円形になっており、突き出し障子５も正面視円形になっている。
筒状部７の屋外側開口端部１９は上部よりも下部が屋外側に突設するように円筒を斜めに切断した形状になっている。
内部水切り部１５は筒状部７の内周面上部２５ａに約９０度の円弧状に設けてある。
堰部１１は筒状部７と別体に製造してあり、筒状部７の内周にねじで固定してある。また、ヒンジ３７の一端部３８は堰部１１に固定してある。
屋外側水切り部９には、第１実施の形態にある垂下部９ａを設けておらず、筒状部７の屋外側を下方に傾斜した端が屋外側水切り部９になっている。
この第２実施の形態によれば、堰部１１を筒状部７と一体に鋳造していない点を除いて、上述した第１実施の形態と同様な効果を得ることができる。
【００１１】
本発明は、上述した実施の形態に限らず、本発明の要旨を逸脱しない範囲で種々変形可能である。
例えば、躯体取付部１７ａ、１７ｂは躯体にねじやボルトで止めるものであってもよい。また、躯体取付部１７ａ、１７ｂは一つであってもよい。
筒状部７の断面形状や突き出し障子５の正面形状は円形や矩形に限らず、６角形や８角形等でも良く、形状は限定されない。
第２実施の形態において、屋外側水切り部９に第１実施の形態のような垂下部９ａを設けてもよいし、第１実施の形態の屋外側水切り部９に垂下部９ａを設けなくてもよい。
【図面の簡単な説明】
【００１２】
【図１】（ａ）は第１実施の形態にかかる窓の縦断面図であり、（ｂ）は屋内側から見た正面図である。
【図２】第１実施の形態にかかる窓の横断面図である。
【図３】（ａ）は第２実施の形態にかかる窓の縦断面図であり、（ｂ）は屋内側から見た正面図である。
【図４】第２実施の形態にかかる窓の横断面図である。
【符号の説明】
【００１３】
１      窓
３      筒枠
５      突き出し障子
７      筒状部
９      屋外側水切り部
１１    堰部
１３    内壁見切り部
１５    内部水切り部
１７ａ、１７ｂ    躯体取付部
１９    屋外側開口端部
２１    屋内側開口端部
２３    内部空間
【図１】
2006037623.tif 000003
【図２】
2006037623.tif 000004
【図３】
2006037623.tif 000005
【図４】
2006037623.tif 000006